(57)【特許請求の範囲】
【請求項１】
筆記具の外周上に配置されるクリップ形成部材と、このクリップ形成部材を前記外周に着脱自在に装着する保持部材とを含み、
前記クリップ形成部材は、筆記具の軸方向と略直交する方向に向けられた支持軸部材と、この支持軸部材に連なって筆記具の軸方向に沿って延び、且つ、先端側が前記筆記具の外周面に接する位置と、当該外周面から離れる位置とに移動可能な挟持部材とからなり、
前記支持軸部材は、その軸方向両側に位置する一対のフランジ部を含み、
前記クリップ形成部材を筆記具の外周上に配置した状態で、支持軸部材の一端側に保持部材を引っ掛けた後、当該保持部材を伸ばしながら筆記具の外周に掛け回して支持軸部材の他端側に保持部材を引っ掛けることにより、保持部材が支持軸部材の軸方向両側に支持され、保持部材の張力によりクリップ形成部材が筆記具の外周に装着されることを特徴とするクリップ。
【請求項２】
前記保持部材は輪ゴムにより構成され、
前記支持軸部材は、筆記具の径寸法と略同一の幅を有する軸中央部と、この軸中央部に連なるとともに、先端側が筆記具の外周上に接する位置にそれぞれ設けられた一対の脚部とを含み、前記各フランジ部は、軸中央部両端側にそれぞれ連なるとともに、軸中央部より大きい径寸法を備えていることを特徴とする請求項１記載のクリップ。
【請求項３】
前記クリップ形成部材と保持部材は、前記筆記具の軸方向における任意の位置に装着可能に設けられていることを特徴とする請求項１又は２記載のクリップ。
【発明の詳細な説明】
【０００１】
【発明の属する技術分野】
本発明は、クリップに係り、更に詳しくは、筆記具の外周上に着脱自在に設けられるとともに、筆記具の外周面との間に胸ポケット等の挟持対象物を挟み込むことができるクリップに関する。
【０００２】
【従来の技術】
従来より、胸ポケット等に差し込んで携帯性を良好に保持するため、筆記具の外周部にクリップが設けられたものが市販されている。このようなクリップは、例えば、樹脂材を用いた成形品により構成されるとともに、筆記具の後端側やキャップ等に一体的に成形されているものが一般的に知られている。
【０００３】
【発明が解決しようとする課題】
しかしながら、前記クリップは、筆記具の後端側に固定されてしまうので、当該筆記具の軸方向における位置調整を行うことができない構造となっている。従って、このようなクリップを比較的長い筆記具に設けた場合、筆記具を胸ポケットに収納するときに、クリップを胸ポケットの上端側を挟み込む位置に配置することができず、筆記具の携帯性を保持することが困難になるという不都合がある他、筆記具のペン先が胸ポケットの底部に当たって胸ポケットの内側を不用意に汚してしまう不都合がある。
【０００４】
また、クリップを有しない筆記具も数多く存在するが、このような筆記具を胸ポケットに入れて携帯する場合、筆記具の移動を規制する手段を何ら持たないため、胸ポケット内の定位置に筆記具を保持することができないという不都合を生じる。これにより、ペン先が胸ポケットの底部に接触したり、胸ポケットの内面側を不用意に筆記したりすることにより、当該胸ポケットを汚してしまうという不都合も招来する。そこで、必要に応じて筆記具の外周に着脱して利用することができるクリップの出現が待望されていた。
【０００５】
【発明の目的】
本発明は、このような不都合に着目して案出されたものであり、その目的は、筆記具の外周上にクリップ形成部材を着脱自在に保持することができ、且つ、筆記具の軸方向におけるクリップ形成部材の装着位置を適宜調整することができるクリップを提供することにある。
【０００６】
【課題を解決するための手段】
前記目的を達成するため、本発明は、筆記具の外周上に配置されるクリップ形成部材と、このクリップ形成部材を前記外周に着脱自在に装着する保持部材とを含み、
前記クリップ形成部材は、筆記具の軸方向と略直交する方向に向けられた支持軸部材と、この支持軸部材に連なって筆記具の軸方向に沿って延び、且つ、先端側が前記筆記具の外周面に接する位置と、当該外周面から離れる位置とに移動可能な挟持部材とからなり、
前記支持軸部材は、その軸方向両側に位置する一対のフランジ部を含み、
前記クリップ形成部材を筆記具の外周上に配置した状態で、支持軸部材の一端側に保持部材を引っ掛けた後、当該保持部材を伸ばしながら筆記具の外周に掛け回して支持軸部材の他端側に保持部材を引っ掛けることにより、保持部材が支持軸部材の軸方向両側に支持され、保持部材の張力によりクリップ形成部材が筆記具の外周に装着される、という構成が採用されている。このような構成によれば、一般的に利用されている筆記具のクリップと同等の作用、効果を維持しながら、クリップ形成部材を着脱式にすることができるという効果を得る。これにより、クリップを有しない筆記具であっても、後からクリップ形成部材を容易に装着することができ、筆記具を胸ポケット等に収納した際に、当該筆記具を安定的に保持することが可能となる。
【０００７】
【発明の実施の形態】
本発明における前記保持部材は輪ゴムにより構成され、
前記支持軸部材は、筆記具の径寸法と略同一の幅を有する軸中央部と、この軸中央部に連なるとともに、先端側が筆記具の外周上に接する位置にそれぞれ設けられた一対の脚部とを含み、前記各フランジ部は、軸中央部両端側にそれぞれ連なるとともに、軸中央部より大きい径寸法を備える、という構成も採用することができる。
【０００８】
また、前記クリップ形成部材と保持部材は、前記筆記具の軸方向における任意の位置に装着可能に設けられる、という構成が採用される。これにより、例えば、比較的長い筆記具にクリップを装着した場合、筆記具の先端側が胸ポケットの底部に接触しない位置にクリップ形成部材を配置することにより、当該胸ポケットの汚れを防止することができる。
【０００９】
なお、本明細書において、特に明示しない限り、「後端」、「後方」若しくは「後」は、筆記具の尾栓側すなわち図３中左側について用いられ、「先端」、「前方」若しくは「前」はその反対側について用いられる。
【００１０】
【実施例】
以下、本発明の実施例を図面を参照しながら説明する。
【００１１】
図１には、本発明に係るクリップが筆記具に適用された実施例の概略斜視図が示され、図２には、前記クリップの正面図が示されている。これらの図において、筆記具１０は、軸方向に延びる筆記具本体１１と、この筆記具本体１１の図示省略したペン先側（先端側）をカバーするキャップ１２と、前記筆記具本体１１の後端側に設けられた尾栓１３とを備えて構成されている。ここで、前記キャップ１２の外周位置にはクリップ１５が装着されている。
【００１２】
前記クリップ１５は、図１及び図２に示されるように、キャップ１２の外周面上に配置されたクリップ形成部材１６と、このクリップ形成部材１６に支持されて前記外周に掛け回された保持部材１７とを備えて構成されている。
【００１３】
前記クリップ形成部材１６は、特に限定されるものでないが、本実施例では、樹脂材を用いた一体成形品により構成されている。このクリップ形成部材１６は、キャップ１２の外周上に配置された支持軸部材１９と、この支持軸部材１９に連なって筆記具１０の軸方向に沿って延びる挟持部材２０とを備えて構成されている。
【００１４】
前記支持軸部材１９は、図２及び図３に示されるように、筆記具１０の軸方向と略直交する方向、すなわち、図２中左右方向に向けられている。この支持軸部材１９は、キャップ１２の外周側であって図２中直上位置に配置されるとともに、キャップ１２の径寸法と略同一の左右幅を有する軸中央部２２と、この軸中央部２２の図２中左右両端側にそれぞれ連なるとともに、軸中央部２２より大きい径寸法を有する一対のフランジ部２４，２４と、軸中央部２２の図３中右下側に連なるとともに、先端側がキャップ１２の外周上に接する位置にそれぞれ設けられた一対の脚部２５，２５とを備えて構成されている。
【００１５】
前記挟持部材２０は、図２及び図３に示されるように、前記軸中央部２２に連なって図３中左方向に延びる長片板状の板状部材２６と、この板状部材２６の先端側であって図３中下面側に設けられた押圧部２７とを備えて構成されている。押圧部２７は、常時は、キャップ１２の外周面上に接する位置に設けられている。
【００１６】
前記保持部材１７は、一本の輪ゴムにより構成されるとともに、支持軸部材１９の軸方向両側、すなわち、板状部材２６とフランジ部２４との間の二箇所位置で支持されている。この保持部材１７の装着作業は、クリップ形成部材１６を筆記具１０の外周面上に配置した後、軸中央部２２の一端側に保持部材１７の内周側を引っ掛ける。そして、保持部材１７を筆記具１０の外周に掛け回した後、当該保持部材１７を伸ばしながら軸中央部２２の他端側に引っ掛けることにより行われる。これにより、保持部材１７は、前記輪ゴムの張力によりクリップ形成部材１６をキャップ１２の外周上に確実に装着されることとなる。
【００１７】
次に、本実施例におけるクリップ１５の挟み込み作業を図３及び図４を参照しながら説明する。
【００１８】
ここでは、クリップ１５は、図３に示されるように、押圧部２７及び各脚部２５の先端側がキャップ１２の外周面に接触している状態にあるものとする。このような状態において、挟持部材２０とキャップ１２とにより胸ポケットＰの端縁部分を挟み込む場合、板状部材２６の先端側を指で掴んで図３中矢印Ａ方向に回転させることにより、図４（Ａ）に示されるように、押圧部２７をキャップ１２から離間させて隙間Ｃを形成することができる。そして、この隙間Ｃの内側に胸ポケットＰの端縁部分を挿入させた後、板状部材２６を上方から指で押圧することにより、図４（Ｂ）に示されるように、押圧部２７とキャップ１２の外周とにより胸ポケットＰが挟み付けられることとなる。この際、前記回転は、保持部材１７が軸中央部２２上に引っ掛かってクリップ形成部材１６を保持していることにより、軸中央部２２の軸中心位置を中心として行われるようになっている。なお、前記挟み込み状態の解除作業は、前述した作業と同様にして図４（Ｂ）に示された状態の板状部材２６を摘み上げて胸ポケットＰから抜き取ればよい。
【００１９】
なお、前記クリップ形成部材１６及び保持部材１７は、筆記具１０に接着等されることなく別部材となっているので、筆記具１０の軸方向における任意の位置に装着可能に設けられている。すなわち、図５に示されるように、クリップ１５を筆記具１０の軸方向にスライド移動し、或いは、保持部材１７をクリップ形成部材１６から取り外して再度装着し直すことにより、キャップ１２に装着されていたクリップ１５を筆記具本体１１に装着することが可能となっている。
【００２０】
従って、このような実施例によれば、保持部材１７が輪ゴムにより構成されているので、径寸法が異なる他の筆記具に装着したり、種々の径寸法を備えた筆記具に対応することができる他、挟持部材２０の挟み込み力を保持しながら前述したようなクリップ形成部材１６の回転を許容することが可能となる。また、クリップ１５の存在が邪魔に感じる場合には、当該クリップ１５を筆記具１０から容易に取り外すことができ、ペンケース等に筆記具１０を収納する際における省スペース化を図ることも可能となる。更に、クリップ形成部材１６が着脱自在に設けられているから、当該クリップ形成部材１６に様々なカラーバリエーションを付与することにより、デザイン性を向上させることができる。
【００２１】
なお、前記実施例における保持部材１７は、輪ゴムにより構成されている場合を説明したが、本発明は、これに限定されるものでなく、例えば、帯状のゴムの両端側に穴を設けて支持軸部材１９に引っ掛ける構成としてもよい。要するに、保持部材１７は、クリップ形成部材１６を筆記具１０の外周上に装着可能に設けられていれば足りる。
【００２２】
また、前記実施例では、挟持部材２０を胸ポケットＰに挟み込んだ場合を説明したが、本発明は、これに限られるものでなく、例えば、手帳等におけるカバーや表紙体の端部側に挟持部材２０を挟み込んでもよい。
【００２３】
【発明の効果】
以上説明したように、本発明によれば、保持部材がクリップ形成部材を筆記具の外周上に着脱自在に保持可能に設けられているから、クリップを有しない筆記具にクリップ形成部材を装着して胸ポケット等を挟み込むことができ、筆記具の携帯性を良好に保持することが可能となる。また、クリップの存在が邪魔に感じるときには、当該クリップを筆記具から取り外して利用することができるという効果を得る。
【００２４】
また、保持部材は輪ゴムにより構成され、この輪ゴムの張力によりクリップ形成部材を筆記具の外周上に装着可能としたから、クリップ形成部材を筆記具の外周上にしっかりと保持することができ、且つ、挟持部材の挟み込み姿勢を安定的に保つことができる。
【００２５】
更に、クリップ形成部材と保持部材は、筆記具の軸方向における任意の位置に装着可能に設けられているから、筆記具を胸ポケットに収納したときに、筆記具のペン先が胸ポケットの底側に接して汚れる虞を排除することができる他、挟持部材を胸ポケットの端部領域に届く位置に確実に配置することができる。
【図面の簡単な説明】
【図１】本実施例に係るクリップが適用された筆記具の概略斜視図。
【図２】図１のＡ−Ａ線矢視断面図。
【図３】図１のＢ−Ｂ線矢視断面図。
【図４】（Ａ）及び（Ｂ）は、前記クリップの挟み込み作業要領を示す説明図。
【図５】図１のクリップの装着位置を変更した場合の概略斜視図。
【符号の説明】
１０  筆記具
１５  クリップ
１６  クリップ形成部材
１７  保持部材
１９  支持軸部材
２０  挟持部材
Ｐ  胸ポケット
【図１】
0003709757.tif 000002
【図２】
0003709757.tif 000003
【図３】
0003709757.tif 000004
【図４】
0003709757.tif 000005
【図５】
0003709757.tif 000006